(57)【要約】  コンタクトレンズケースは、プラットフォーム部分を含む。プラットフォーム部分は、容器本体、容器本体に形成された内壁、内壁に接続された床、内壁および床によって画定されるチャンバ、ならびにチャンバの床に形成されたレンズ位置決めガイドを含むことができる。【選択図】図５
2021529565.tif 000002
【特許請求の範囲】
【請求項１】
キャップ部分とプラットフォーム部分とを備え、
該キャップ部分が
キャップ本体と、
該キャップ本体から延びる突出部と、
該突出部の遠位端と、
を含み、
該プラットフォーム部分が、
容器本体と、
該容器本体に形成された内壁と、
該内壁に接続された床と、
該内壁及び該床によって画定されたチャンバと、
該チャンバ内に配置されたレンズ位置決めガイドと、
を含む、
コンタクトレンズケース。
【請求項２】
該レンズ位置決めガイドが、該チャンバの該床に形成された凹部を含む、請求項１に記載のコンタクトレンズケース。
【請求項３】
該レンズ位置決めガイドが、該床の表面から一定の間隔を離して配置されている頂面を含む隆起部を有する、請求項１に記載のコンタクトレンズケース。
【請求項４】
該レンズ位置決めガイドが該床の傾斜面を含む、請求項１に記載のコンタクトレンズケース。
【請求項５】
該レンズ位置決めガイドは、コンタクトレンズを該容器本体内で中心に配置するように構成されている、請求項１に記載のコンタクトレンズケース。
【請求項６】
該突出部の該遠位端に形成された曲面と、
該突出部の該曲面に形成された円周リップと、
をさらに備え、
該レンズ位置決めガイドは、コンタクトレンズの縁を該円周リップに当接するよう案内するように構成されている、請求項１に記載のコンタクトレンズケース。
【請求項７】
該レンズ位置決めガイドは、該キャップ部分と該プラットフォーム部分とが組み立てられたときに、該キャップ本体の該突出部の該曲面上に配置されたコンタクトレンズの周辺部分に接触するように構成されている、請求項１に記載のコンタクトレンズケース。
【請求項８】
該レンズ位置決めガイドが、コンタクトレンズの前側曲率に実質的に倣うガイド曲率を有する、請求項１に記載のコンタクトレンズケース。
【請求項９】
該レンズ位置決めガイドは、コンタクトレンズの前側の半径の中点と該コンタクトレンズの縁との間に配置されている該コンタクトレンズの周辺部分に接触するように構成されている、請求項１に記載のコンタクトレンズケース。
【請求項１０】
該突出部の該曲面は、コンタクトレンズが濡れているときに、該コンタクトレンズの後側に付着するように構成されている、請求項１に記載のコンタクトレンズケース。
【請求項１１】
該プラットフォーム部分に形成された第１のねじ部分と、
該キャップ部分に形成された第２のねじ部分と、
をさらに備え、
該第１のねじ部分および該第２のねじ部分は、該チャンバを閉じるように互いにねじ接続されるように構成されている、請求項１に記載のコンタクトレンズケース。
【請求項１２】
該突出部の該遠位端が、該キャップ本体から該第２のねじ部分の端部を超えて延びるようにされている、請求項１１に記載のコンタクトレンズケース。
【請求項１３】
該第１のねじ部分と該第２のねじ部分とが互いにねじ接続されているときに、該突出部の該遠位端と該チャンバの該床とが１０ミリメートル未満の間隔だけ離されるようにされた、請求項１１に記載のコンタクトレンズケース。
【請求項１４】
容器本体と、
該容器本体内に形成された内壁と、
該内壁に接続された床と、
該内壁と該床によって画定されたチャンバと、
該チャンバ内のレンズ位置決めガイドと、
を有するプラットフォーム部分を備える、コンタクトレンズケース。
【請求項１５】
該レンズ位置決めガイドが、該チャンバの該床に形成された凹部を含む、請求項１４に記載のコンタクトレンズケース。
【請求項１６】
該レンズ位置決めガイドが、該床の高さから一定の間隔を離して配置されている頂面を含む隆起部を有する、請求項１４に記載のコンタクトレンズケース。
【請求項１７】
該レンズ位置決めガイドが該床の傾斜面を含む、請求項１４に記載のコンタクトレンズケース。
【請求項１８】
該レンズ位置決めガイドが、コンタクトレンズを該容器本体内で中心に配置するように構成されている、請求項１４に記載のコンタクトレンズケース。
【請求項１９】
該レンズ位置決めガイドが、コンタクトレンズの周辺部分に接触するように構成されている、請求項１４に記載のコンタクトレンズケース。
【請求項２０】
該レンズ位置決めガイドが、コンタクトレンズの前側曲率に実質的に倣うようにされたガイド曲率を有する、請求項１４に記載のコンタクトレンズケース。
【請求項２１】
該レンズ位置決めガイドが、コンタクトレンズの前側の半径の中点と該コンタクトレンズの縁との間に配置されている該コンタクトレンズの周辺部分に接触するように構成されている、請求項１４に記載のコンタクトレンズケース。
【請求項２２】
容器本体に形成された内壁と、
該内壁に接続された床と、
該内壁と該床によって画定されたチャンバと、
該床に画定され、キャップ部分の突出部に隣接してコンタクトレンズを保持するように構成された凹部と、
を有するコンタクトレンズケース。
【請求項２３】
キャップ部分と、
該キャップ部分から延びる突出部と、
該突出部を囲む内壁と、
該内壁によって画定されるチャンバと、
該チャンバ内に配置され、該突出部に隣接してコンタクトレンズを保持するように構成されるレンズ位置決めガイドと、
を有する、コンタクトレンズケース。
【請求項２４】
床をさらに有し、
該レンズ位置決めガイドが、該床に画定された凹部とされている、請求項２３に記載のコンタクトレンズケース。
【請求項２５】
床をさらに有し、
該レンズ位置決めガイドが、該床に設けられた隆起部とされている、請求項２３に記載のコンタクトレンズケース。
【請求項２６】
該レンズ位置決めガイドが、コンタクトレンズの周辺部分において該コンタクトレンズと係合するように構成されている、請求項２３に記載のコンタクトレンズケース。
【請求項２７】
該レンズ位置決めガイドが、コンタクトレンズの中間周辺部分において該コンタクトレンズと係合するように構成される、請求項２３に記載のコンタクトレンズケース。
【請求項２８】
該レンズ位置決めガイドが、該チャンバ内でコンタクトレンズと係合するように構成された周辺領域を有する、請求項２３に記載のコンタクトレンズケース。
【請求項２９】
該レンズ位置決めガイドが、該チャンバ内に配置されたコンタクトレンズと係合するように構成された中間周辺領域を有する、請求項２３に記載のコンタクトレンズケース。
【発明の詳細な説明】
【背景技術】
【０００１】
コンタクトレンズは、様々な様式でユーザに提供される。一部のコンタクトレンズは、使用後に毎日廃棄することを目的とした毎日使い捨てレンズとされ、一部のコンタクトレンズは、ユーザが数日間装着するものとされている。これらのコンタクトレンズを夜間またはユーザが装着していない他の時間の間保存するために、コンタクトレンズはしばしば保存液に浸される。保存液は、汚染物質中和成分や滅菌成分を含む生理食塩水を含むことができる。汚染物質は、コンタクトレンズがユーザによって装着されていたときにユーザ自身の眼からつく可能性がある。場合によっては、汚染物質は、ユーザがコンタクトレンズを扱っているときにユーザの手からつく可能性がある。その他の汚染源には、コンタクトレンズを眼に装着していたときのユーザの環境が含まれる。保存液は、ユーザがコンタクトレンズを再び装着する準備ができるまで、コンタクトレンズを水和状態に保つこともできる。保存液は、コンタクトレンズケース内に収容することができる。
【０００２】
コンタクトレンズケースの一例は、特開第２００２−６２７４号に開示されている。この文献におけるケースは、保存液、コンタクトレンズが入れられる凹部を備えたパッケージ本体、および凹部の上部開口部に取り付けられて上部開口部を覆う蓋を有する。コンタクトレンズを保存液に浸し、蓋をパッケージ本体に固定して、保存液とコンタクトレンズを凹部内に密封するようになっている。この文献は、含まれているすべてのものについて参照により組み込まれる。
【発明の概要】
【０００３】
いくつかの実施形態では、コンタクトレンズケースは、キャップ部分およびプラットフォーム部分を含む。キャップ部分は、キャップ本体、キャップ本体から延びる突出部、突出部の遠位端、および突出部の遠位端に形成された曲面を含む。プラットフォーム部分は、容器本体、容器本体に形成された内壁、内壁に接続された床、内壁および床により画定されるチャンバ、ならびにチャンバの床に形成されたレンズ位置決めガイドを含む。
【０００４】
レンズ位置決めガイドは、凹部とすることができる。
【０００５】
レンズ位置決めガイドは、頂面を含む隆起部とすることができる。頂面は、床の高さから一定の距離を空けることができる。
【０００６】
レンズ位置決めガイドは、床に形成された傾斜とすることができる。
【０００７】
レンズ位置決めガイドは、コンタクトレンズを容器本体内で中心に置くように配置することができる。
【０００８】
コンタクトレンズケースは、キャップ本体の突出部の曲面に形成された円周リップを含むことができる。レンズ位置決めガイドは、コンタクトレンズの縁をリップに当接するよう案内するように配置することができる。
【０００９】
レンズ位置決めガイドは、コンタクトレンズの周辺部分に接触するように構成することができる。
【００１０】
レンズ位置決めガイドは、コンタクトレンズの前面曲率に実質的に倣うガイド曲率を含むことができる。
【００１１】
レンズ位置決めガイドは、コンタクトレンズの前面の半径とコンタクトレンズの縁との中点とによって画定される周辺部分内で接触するように構成することができる。
【００１２】
突出部の曲面は、コンタクトレンズが濡れているときにコンタクトレンズの後面に付着するように構成することができる。
【００１３】
コンタクトレンズケースは、プラットフォーム部分に接続された第１のねじ部分、およびキャップ部分に接続された第２のねじ部分を含むことができる。第１のねじ部分および第２のねじ部分は、チャンバを閉じるように互いにねじ接続されるように構成することができる。
【００１４】
突出部の遠位端は、第２のねじ部分の端よりもキャップ本体から遠くに延びるようにすることができる。
【００１５】
突出部の遠位端およびチャンバの床は、第１のねじ部分および第２のねじ部分が互いにねじで接続されたときに、１０ミリメートル未満の間隔で離れるようにすることができる。
【００１６】
いくつかの実施形態では、コンタクトレンズケースはプラットフォーム部分を含む。プラットフォーム部分は、容器本体、容器本体に形成された内壁、内壁に接続された床、内壁および床により画定されるチャンバ、ならびにチャンバの床に形成されたレンズ位置決めガイドを含むことができる。
【００１７】
いくつかの実施形態では、コンタクトレンズケースは、容器本体に形成された内壁、内壁に接続された床、内壁および床により画定されるチャンバ、および床に画定された凹部を含む。凹部は、キャップ部分の突出部に隣接してコンタクトレンズを保持するように構成することができる。
【００１８】
いくつかの実施形態では、コンタクトレンズケースは、キャップ部分、キャップ部分から延びる突出部、突出部を取り囲む内壁、および内壁によって画定されるチャンバを含む。レンズ位置決めガイドはチャンバ内に配置することができ、レンズ位置決めガイドは、突出部に隣接してコンタクトレンズを保持するように構成することができる。
【００１９】
コンタクトレンズケースは床を含むことができ、レンズ位置決めガイドは床に画定された凹部であり得る。
【００２０】
コンタクトレンズケースは床を含むことができ、レンズ位置決めガイドは床に設けられた隆起部であり得る。
【００２１】
レンズ位置決めガイドは、コンタクトレンズの周辺部分においてコンタクトレンズと係合するように構成することができる。
【００２２】
レンズ位置決めガイドは、コンタクトレンズの周辺部分の周縁または中央を含む、周辺部分の任意の部分でコンタクトレンズと係合するように構成することができる。
【００２３】
レンズ位置決めガイドは、コンタクトレンズと接触するように構成された周辺領域を含むことができる。
【００２４】
レンズ位置決めガイドは、コンタクトレンズと接触するように構成された中間周辺領域を含むことができる。
【図面の簡単な説明】
【００２５】
添付の図面は、本装置の様々な実施形態を示しており、本明細書の一部である。図示の実施形態は、本装置の単なる例であり、その範囲を限定するものではない。
【００２６】
【図１】本開示に係るコンタクトレンズケースの一例の斜視図を示す。
【００２７】
【図２】本開示に係るコンタクトレンズケースの一例の側面図を示す。
【００２８】
【図３Ａ】本開示に係るコンタクトレンズケースの一例の側面断面図を示す。
【００２９】
【図３Ｂ】本開示に係るコンタクトレンズの一例の上面図を示す。
【００３０】
【図４】本開示に係るレンズ位置決めガイドの一例の断面図を示す。
【００３１】
【図５】本開示に係るコンタクトレンズケースの上面図の一例の斜視図を示す。
【００３２】
【図６】本開示に係る例示的なコンタクトレンズケースの側面図を示す。
【００３３】
【図７】本開示に係る例示的なレンズ位置決めガイドの断面図を示す。
【００３４】
【図８】本開示に係る例示的なレンズ位置決めガイドの断面図を示す。
【００３５】
【図９】本開示に係る例示的なレンズ位置決めガイドの断面図を示す。
【００３６】
【図１０】本開示に係る例示的なレンズ位置決めガイドの断面図を示す。
【００３７】
【図１１】本開示に係る例示的なレンズ位置決めガイドの断面図を示す。
【００３８】
【図１２】本開示に係る例示的なレンズ位置決めガイドの断面図を示す。
【００３９】
図面全体を通して、同一の参照番号は類似しているが必ずしも同一ではない要素を示している。
【発明を実施するための形態】
【００４０】
本開示に記載されている原理は、コンタクトレンズケースに関連している。例示的なコンタクトレンズケースは、保存液を保持する空洞を有し、その中に、ユーザが装着していないときのコンタクトレンズを浸漬することができる。一般に、コンタクトレンズがコンタクトレンズケースから取り出されるときには、ユーザの指が、コンタクトレンズおよび保存液を含むコンタクトレンズケースの空洞に挿入される。通常、ユーザは指をコンタクトレンズの背面または内面に押し付けながらケースの空洞の底面に沿って指をスライドさせるようにし、このときコンタクトレンズはユーザの指の輪郭に沿った状態となる。
【００４１】
次に、コンタクトレンズは、典型的には、レンズの前面がレンズケースの底部に沿って引きずられながら、レンズの後面または内面にユーザの指が接触したまま、指によってレンズケースの側面を上方にスライドされる。コンタクトレンズがコンタクトレンズケースの開口部に置かれると、ユーザは、ユーザの親指をコンタクトレンズの外側におき、指をコンタクトレンズの背面または内面においた状態でコンタクトレンズをつまんで、コンタクトレンズをコンタクトレンズケースの空洞から取り出すことができる。次に、ユーザは通常、指の上でコンタクトレンズの向きを変えて、コンタクトレンズを入れるために眼に持ってくる。ユーザの指に触れていたコンタクトレンズの後面/凹面は、ユーザの眼に当接して配置される。涙液はコンタクトレンズの後面を濡らし、コンタクトレンズを所定の位置に保つ。
【００４２】
コンタクトレンズケースからコンタクトレンズを取り出すこの従来のプロセスでは、様々な問題が生じる。具体的には、ユーザの眼に直接接触することになるコンタクトレンズの後面にユーザの指および／または親指が接触する。その結果、ユーザの指からの細菌、汚れ、汚染物質、およびその他の望ましくないものがユーザの眼に移る可能性がある。これらの物質は、眼の炎症を引き起こす可能性があるだけでなく、病気がユーザの体に侵入するための入り口を提供する可能性がある。
【００４３】
従来のコンタクトレンズケースからコンタクトレンズを取り出す従来の方法に関する他の問題は、狭い空洞に指を挿入し、空洞の表面を横切ってコンタクトレンズをスライドさせることから生じる。このプロセスは、コンタクトレンズの内面および外周部分を引っ掻くか、さもなければ損傷する可能性がある。さらに、保存液が存在するケースの空洞に指を入れることによって、保存液をユーザの指にさらすことになる。したがって、ユーザの指の細菌、汚れ、汚染物質が保存液を汚染する可能性もある。
【００４４】
本開示に含まれる原理は、キャップ部分およびプラットフォーム部分を含むコンタクトレンズケースを提供するためのシステムおよび方法を含む。キャップ部分は、キャップ本体に接続された突出部を含む。突出部は曲面を有する遠位端を含む。プラットフォーム部分は、内壁および床によって画定されるチャンバを含む。チャンバは、保存液とコンタクトレンズを収納することができる。突出部は、キャップ部分がプラットフォーム部分に取り付けられたときに、保存液内に沈むのに十分な長さであり得る。遠位端を保存液に沈めた状態では、遠位端は保存液で濡らされる。コンタクトレンズの後面は、遠位端が濡れているときには、その曲面に付着することができる。
【００４５】
ユーザは、コンタクトレンズケースのキャップ部分をプラットフォーム部分から取り外すことができ、それにより、突出部の遠位端をチャンバから取り出し、チャンバが十分な量の保存液を有していて遠位端が沈められていた場合には、その結果として遠位端を保存液に沈められた状態から取り出すことができる。遠位端が濡れた状態では、ユーザはコンタクトレンズの後面が遠位端と直接接触するようにしてコンタクトレンズを突出部の遠位端の曲面上に置くことができる。場合によっては、遠位端の曲面は、コンタクトレンズの後面の曲面にぴったりと、又は実質的にぴったりと合う。コンタクトレンズが突出部の遠位端に付着している状態で、コンタクトレンズは遠位端と共に動くことができる。例えば、コンタクトレンズは、キャップ部分がプラットフォーム部分に取り付けられているときに、遠位端に付着して移動することができる。このように、チャンバが遠位端を沈めるのに十分な量の保存液を含むこれらの例では、コンタクトレンズも保存液に沈められる。
【００４６】
チャンバの床は、コンタクトレンズが保存液に完全に沈められたときにコンタクトレンズが突出部から離れるのを防ぐレンズ位置決めガイドを含むことができる。いくつかの例では、突出部の遠位端とチャンバの床との間のギャップは、１０ミリメートル以下、５ミリメートル以下、１ミリメートル以下、その他、またはそれらの組み合わせである。突出部の遠位端とチャンバの床との間にたとえ小さな隙間であってもある場合には、コンタクトレンズは、コンタクトレンズケースを動かすことによって加えられる横方向の力のために、突出部の遠位端から離れる傾向になる可能性がある。突出部の遠位端からコンタクトレンズを離れるようにする他の力には、コンタクトレンズケースが運ばれるかまたは他の態様で動かされることによってコンタクトレンズケースの向きが変わるときの重力または動的流体力が含まれる。
【００４７】
レンズ位置決めガイドは、コンタクトレンズの中心以外の領域でコンタクトレンズと係合して、コンタクトレンズが突出部の遠位端の曲面から横方向に移動するのを防ぐことができる。例えば、レンズ位置決めガイドは、コンタクトレンズの周縁でコンタクトレンズと係合することができる。他の例では、コンタクトレンズは、コンタクトレンズの縁とコンタクトレンズの半径の中点によって画定される周辺部分を含む。この例では、レンズ位置決めガイドは、この周辺部分内でコンタクトレンズと係合することができる。場合によっては、レンズ位置決めガイドは、コンタクトレンズが任意の方向に動くのを妨げる環状表面を含む。他の例では、レンズ位置決めガイドは、コンタクトレンズが突出部の遠位端の曲面から横方向に移動するのを全体として防止する相互に隔離された接触点を含む。場合によっては、レンズ位置決めガイドがコンタクトレンズの一部を突出部の遠位端に押し込む。例えば、場合によっては、突出部の遠位端は、遠位端の曲面の縁から突出して離れる円周リップを含み、レンズ位置決めガイドは、コンタクトレンズの縁を円周リップに押し付けて、コンタクトレンズの位置を突出部の遠位端上に実質的に維持する。
【００４８】
コンタクトレンズケースのキャップ部分がプラットフォーム部分から取り外されたときに、コンタクトレンズは突出部の遠位端に付着したままである。したがって、キャップ部分がコンタクトレンズケースから取り外されると、コンタクトレンズはコンタクトレンズケースから取り出される。このようにすることには、いくつかの利点がある。第一に、キャップ部分とプラットフォーム部分の形状は、コンタクトレンズがケースのチャンバから取り出されるときにコンタクトレンズが望ましくない動きをするのを防ぐ。結果として、コンタクトレンズの様々な表面は、従来のシステムにあるのと同じようなチャンバの表面との滑り係合にさらされない。したがって、コンタクトレンズは、チャンバから取り外されるときに擦り傷がつきにくい。
【００４９】
第２に、コンタクトレンズの後面が突出部の表面に付着した状態なので、ユーザがコンタクトレンズをつまんで突出部から外すときに、レンズの前面がユーザに提示される。つまり、コンタクトレンズの前面だけがユーザの指と接触できる。その結果、ユーザは、コンタクトレンズの前面だけに接触することによってコンタクトレンズを突出部から取り外すことができ、これにより、コンタクトレンズを突出部からユーザの眼に取り移すときに、コンタクトレンズの後面にユーザが触れないようにすることができる。その結果、ユーザの手からの細菌、破片、汚染物質、およびその他の種類の汚染物質または望ましくないものを、眼と直接接触しないコンタクトレンズの前面だけに限定することができる。コンタクトレンズの前面は、眼をきれいにして保護するよう生物学的に設計されているユーザのまぶたに接触する可能性がある。すなわち、細菌、破片、汚染物質、および他のタイプの望ましくないものは、まぶたによって自然に与えられるそれらの洗浄力にさらされる。その結果、ユーザはコンタクトレンズの汚染物質に起因する悪影響を受けにくくなる。
【００５０】
いくつかの要因が、コンタクトレンズが突出部の遠位端にどれだけ適切に付着するかに影響し得る。これらの要因には、保存液の粘度、保存液の表面張力、チャンバ内の保存液の量、突出部の遠位端の曲率、突出部の遠位端の表面粗さ、その他の要因、または組み合わせが含まれ得る。
【００５１】
場合によっては、突出部の遠位端の曲率は、コンタクトレンズの後面の曲面に合うようにされる。その他の場合、突出部の遠位端には、コンタクトレンズの曲率半径よりも大きな曲率半径が含まれる場合がある。これらのタイプの実施形態の両方において、保存液の表面張力は、コンタクトレンズを遠位端の表面に付着させることができる。場合によっては、遠位端の曲面半径は１０ミリメートルから１５ミリメートルの間とされる。さらに別の例では、遠位端の曲面半径は１２ミリメートルから１３ミリメートルの間とされる。遠位端の曲率は、曲率が球形の一部を形成するように、一定の曲面半径とすることができる。他の例では、遠位端の曲率半径は表面全体に亘って変化する。たとえば、曲率半径は、曲面の周辺に向かって平坦にすることも、曲面の中心に向かって平坦にすることもできる。
【００５２】
幾つかの場合では、遠位端の曲率半径は、コンタクトレンズの曲率半径よりも大きくすることができる。これらの例の1つでは、コンタクトレンズの後面が約８．１〜９．０ミリメートルの曲面半径を含むことができる。他の例では、コンタクトレンズの後面が、７．５ミリメートル以下である曲率半径を含むことができる。
【００５３】
突出部の遠位端を任意の適切な表面粗さとすることができる。いくつかの例では、表面平均粗さ（Ｒａ）は２５．０マイクロメートル以下である。別の例では、表面平均粗さは６．３マイクロメートル以下である。
【００５４】
ここで、図を参照して、図１−３Ａはコンタクトレンズケース１００の例を示している。この例では、コンタクトレンズケース１００は、キャップ部分１０２およびプラットフォーム部分１２２を含むことができる。図１は、キャップ部分１０２がプラットフォーム部分１２２に取り付けられた状態のコンタクトレンズケース１００の斜視図を示している。図２は、キャップ部分１０２がプラットフォーム部分１２２から取り外された状態のコンタクトレンズケース１００の側面図を示している。図３Ａは、キャップ部分１０２がプラットフォーム部分１２２に取り付けられた状態のコンタクトレンズケース１００の断面側面図を示す。
【００５５】
プラットフォーム部分１２２は、カウンターの上またはシンクの表面などの支持面上に置かれたときにコンタクトレンズケース１００に安定性を与える実質的に平坦な表面を有する容器本体１２４を含むことができる。他の例では、プラットフォーム部分１２２は、プラットフォーム部分１２２を直立方向に安定させる複数の脚を含む。直立位置では、コンタクトレンズケース１００は、保存液がチャンバ１３０の底部に溜まってキャップ部分１０２をプラットフォーム部分１２２に固定するねじ部分または他の接続機構から離れるように向けられる。プラットフォーム部分１２２はまた、床１２８に接続された内壁１２６を含むことができる。内壁１２６および床１２８は、共同でチャンバ１３０を画定する。チャンバ１３０は、ある量のコンタクトレンズ保存液を受け入れるように構成することができる。コンタクトレンズをチャンバ１３０に挿入し、ユーザがコンタクトレンズをユーザの眼に再び挿入するまで、一晩などの所望の間、保存液に沈めることができる。
【００５６】
本明細書に開示される原理に関連して、任意の適切なタイプの保存液を使用することができる。いくつかの例では、保存液は、コンタクトレンズ上にある細菌、ウイルス、真菌、細菌、酵素、汚染物質、望ましくない生物、またはそれらの組み合わせを殺す消毒剤を含む。いくつかの例では、保存液はまた、タンパク質の蓄積、脂質の蓄積、破片の蓄積、またはコンタクトレンズ上の他のタイプの蓄積を防止する。さらに、保存液は、シリコンヒドロゲルコンタクトレンズの濡れ性および快適性を改善する成分を含むことができる。場合によっては、保存液は、生理食塩水、過酸化水素溶液、別のタイプの溶液、またはそれらの組み合わせを含む。
【００５７】
いくつかの例では、プラットフォーム部分１２２は、第１のチャンバ１３０および第２のチャンバ１３２を含む。この例では、コンタクトレンズケース１００は、第１のキャップ部分１０２および第２のキャップ部分１０４を含む。第１のチャンバ１３０は右のコンタクトレンズに対応することができ、第２のチャンバ１３２は左のコンタクトレンズに対応することができる。これにより、両方のコンタクトレンズを別々に収容して保管することができる。図１―図３Ａのコンタクトレンズケース１００の例は、複数のチャンバを有するように描かれているが、任意の適切な数のチャンバをコンタクトレンズケース１００に組み込むことができ、本例示のシステムおよび方法の原理を含むことができる。いくつかの例では、コンタクトレンズケース１００は、単一のチャンバ１３０のみを含む。
【００５８】
コンタクトレンズケース１００は、任意の適切な製造方法によって形成することができる。例えば、コンタクトレンズケース１００は、ポリプロピレン（ＰＰ）、ポリエチレン（ＰＥ）、ポリスチレン（ＰＳ）、ポリカーボネート（ＰＣ）、ポリエチレンテレフタレート（ＰＥＴ）、アクリロニトリル・ブタジエン・スチレン共重合体（ＡＢＳ）、プロピレンエチレン共重合体、またはそれらの組み合わせなどの合成樹脂を使用して射出成形される。他の例では、コンタクトレンズケース１００は、鋳造、機械加工、または他の方法で形成することができる。いくつかの例では、キャップ部分１０２は、プラットフォーム部分１２２と同じ材料で作られる。あるいは、キャップ部分１０２は、プラットフォーム部分１２２とは異なる材料で作ることができる。
【００５９】
いくつかの例では、プラットフォーム部分１２２は第１のねじ部分１１８を含み、キャップ部分１０２は第２のねじ部分１２０を含む。いくつかの例では、第１のねじ部分１１８は雄ねじであり、第２のねじ部分は雌ねじである。しかしながら、他の例では、第１のねじ部分１１８が雌ねじであり、第２のねじ部分１２０が雄ねじであるようにすることができる。第１のねじ部分１１８および第２のねじ部分１２０は、互いにねじ接続することができる。キャップ部分１０２がねじ部分によってプラットフォーム部分１２２に取り付けられると、チャンバ１３０が閉じられる。
【００６０】
これらの例は、相補的なねじ部分によって接続されるキャップ部分１０２およびプラットフォーム部分１２２を有するコンタクトレンズケース１００を参照して説明されてきたが、キャップ部分１０２およびプラットフォーム部分１２２は、任意の適切な機構によって接続するようにすることができる。例えば、キャップ部分１０２およびプラットフォーム部分１２２は、スナップ接続、圧縮フィット接続、締まり嵌め接続、ヒンジ接続、別のタイプの接続、またはそれらの組み合わせによって、接続することができる。いくつかの例では、コンタクトレンズケース１００が横向きにまたは逆さまに向けられたときに保存液がチャンバ１３０から漏れるのを防ぐために、接続は水密とされる。
【００６１】
突出部１０８はキャップ本体１０６に接続することができる。突出部１０８は、第２のねじ部分よりもキャップ本体１０６から遠くに延びることができる。突出部１０８は遠位端１１０を含むことができ、遠位端１１０は曲面１１２を含むことができる。コンタクトレンズは、曲面１１２上に配置され且つコンタクトレンズおよび遠位端が濡れているときに、遠位端１１０の曲面１１２に付着することができる。図３の例では、突出部１０８は、曲面１１２の縁を取り囲む円周リップ１１４を含む。この円周リップ１１４は、コンタクトレンズが突出部１０８の曲面１１２から滑り落ちるのを防ぐのに寄与することができるリップ壁１１６を形成する。
【００６２】
レンズ位置決めガイド１３４が、コンタクトレンズケース１００のプラットフォーム部分１２２の床１２８に形成されている。レンズ位置決めガイド１３４は、コンタクトレンズを突出部１０８の曲面１１２上に維持するのを助けるために、コンタクトレンズの中心でない部分に接触するように構成された接触点を含むことができる。この実施例では、レンズ位置決めガイド１３４は、コンタクトレンズの周辺部分と接触するように構成されたガイド湾曲１３６を含む。場合によっては、ガイド湾曲は、チャンバ１３０の床１２８の傾斜の一部である。レンズ位置決めガイド１３４は、流体力によってコンタクトレンズが曲面１１２から外れる可能性がある状況において、コンタクトレンズを曲面１１２に保持することができる。
【００６３】
場合によっては、コンタクトレンズの中央部分は、チャンバ１３０の床１２８の中央部分と接触する。床１２８と突出部１０８の遠位端１１０または円周リップ１１４との間の距離がコンタクトレンズの矢状面深さよりも小さいこれらの例では、突出部１０８および床１２８は、共同してコンタクトレンズに圧縮荷重または変形荷重を加え、コンタクトレンズを曲面１１２に維持するのを助けることができる。しかしながら、遠位端１１０の湾曲のために、床１２８と遠位端１１０との間のギャップは、床１２８の中央部分から曲面１１２の縁に向かって徐々に増加し得る。そのような場合は、コンタクトレンズが曲面１１２の中心から外れて配置された場合、コンタクトレンズは曲面１１２から外れる傾向となり得る。図３の例では、レンズ位置決めガイド１３４は、遠位端の曲面全体に沿ってギャップを狭く保ち、中央のギャップが十分に狭い状況でコンタクトレンズを圧縮状態に保持できるようにする。また、図３Ａのレンズ位置決めガイド１３４は、コンタクトレンズの中央位置においてコンタクトレンズと係合し、コンタクトレンズを遠位端１１０に対して維持するのを助けることができる。
【００６４】
図３Ｂは、コンタクトレンズ３００の例を示す。この例では、コンタクトレンズ３００は、中央部分３０２および周辺部分３１２を含む。いくつかの例では、コンタクトレンズ３００は、周辺部分３１２内でレンズ位置決めガイド１３４と接触する。しかし、レンズ位置決めガイド１３４は、中央部分３０２内を含む任意の適切な位置でコンタクトレンズ３００と接触することができる。いくつかの例では、コンタクトレンズ３００の周辺部分３１２は、コンタクトレンズ３００の中心３０３とコンタクトレンズ３００の縁部３０４との間の中点３１４によって画定することができる。図３Ｂの例では、コンタクトレンズの半径３１６の中点は、破線の円３１４で概略的に表されている。
【００６５】
図４は、本開示に記載されている原理に従ったレンズ位置決めガイド１３４の例を示している。この例では、コンタクトレンズ３００は、突出部１０８の遠位端１１０とケースのチャンバ１３０の床１２８との間に配置されている。図示の例では、レンズ位置決めガイド１３４は、ケースのチャンバ１３０の床１２８に組み込まれている。
【００６６】
図示の例では、突出部１０８は、遠位端１１０の曲面１１２を取り囲む円周リップ１１４を含む。円周リップ１１４は、遠位端の曲面１１２も取り囲むリップ壁１１６を形成する。遠位端１１０の曲面１１２は、１０ミリメートルから１５ミリメートルの間である曲率半径を含むことができる。
【００６７】
レンズ位置決めガイド１３４は、チャンバ１３０の床１２８に画定される凹部４００である。凹部４００は、コンタクトレンズ３００と接触する凹状の湾曲を含むことができる。いくつかの例では、コンタクトレンズ３００が突出部１０８の中心に対してずれている状況においてのみ、コンタクトレンズ３００は凹部４００と接触する。他の例では、レンズ位置決めガイド１３４は、コンタクトレンズ３００が中心から外れているかどうかに関係なく、コンタクトレンズ３００の周辺部分３１２と接触する。レンズ位置決めガイド１３４の凹状曲面は、中央領域４０２、中間周辺領域４０４、および周辺領域４０６を含むことができる。
【００６８】
コンタクトレンズ３００は、凹状の湾曲を有する後側３０６を含むことができる。後側３０６は、ユーザが装着したときにユーザの眼の角膜上に配置される。コンタクトレンズ３００はまた、凸状の湾曲を有する前側３１０を含むことができる。前側３１０は、コンタクトレンズ３００材料の厚さの分だけ後側３０６から離れている。後側３０６および前側３１０は、コンタクトレンズ３００の縁部３０４でつながっている。
【００６９】
レンズ位置決めガイド１３４は、凹部４００の中央領域４０２、中間周辺領域４０４、周辺領域４０６、またはそれらの組み合わせにおいてコンタクトレンズ３００と接触するように形状づけることができる。コンタクトレンズ３００は、突出部１０８のリップ壁１１６に対して上向きにすることができる。コンタクトレンズ３００の縁部３０４をリップ壁１１６で捕らえることにより、コンタクトレンズ３００が、突出部の遠位端１１０の凹状曲面１１２から滑り落ちるのを防ぐことができる。
【００７０】
他の例では、突出部１０８がリップ壁１１６を含んでおらず、レンズ位置決めガイド１３４は、コンタクトレンズ３００の周辺領域または中間周辺領域に接触することによって、コンタクトレンズ３００をチャンバ１３０内で中心に保つ。この例では、レンズ位置決めガイド１３４は、コンタクトレンズ３００を突出部１０８の遠位端１１０に隣接させておくことができ、その結果、キャップ部分１０２がプラットフォーム部分１２２から取り外されたときに、コンタクトレンズ３００は遠位端１１０に付着したままとなりキャップ部分１０２と共に取り出される。
【００７１】
図５および図６は、キャップ部分１０２の例を示している。この例では、キャップ部分１０２は、キャップ本体１０６および取り付け部分を含む。いくつかの例では、取り付け部分は、プラットフォーム部分１２２の外ねじ領域にねじ固定されるように構成された内ねじ部分１２０を含む。キャップ部分１０２はまた、キャップ本体１０６から延びる突出部１０８を含むことができる。取り付け部分は突出部１０８を取り囲むことができ、突出部１０８は取り付け部分を超えて延びることができる。いくつかの例では、プラットフォーム部分１２２のねじ領域は、キャップ部分がプラットフォーム部分１２２に接続されているときに、突出部１０８とキャップ部分１０２の取り付け部分との間に位置することができる。
【００７２】
図７は、プラットフォーム部分１２２の一例の側面断面図を示している。この例では、プラットフォーム部分１２２は、第１のチャンバ１３０および第２のチャンバ１３２を含む。第１の脚は第１のチャンバ１３０に接続され、第２の脚は第２のチャンバ１３２に接続されている。この断面では見えない追加の脚をプラットフォーム部分１２２に固定することができる。この例では、チャンバ１３０の床１２８は、内壁１２６を床１２８に接続する丸みを帯びた曲面を含む。少なくとも部分的にレンズ位置決めガイド１３４を形成する凹部４００が床１２８に形成される。レンズ位置決めガイド１３４の周辺領域４０６（図４に示される）は、キャップ部分１０２がプラットフォーム部分１２２に取り付けられたときに、コンタクトレンズと接触して突出部１０８の遠位端１１０に対してコンタクトレンズを位置決めすることができる。
【００７３】
図８はプラットフォーム部分１２２の一例を示している。この例では、チャンバ１３０の床１２８は、少なくとも部分的に、レンズ位置決めガイド１３４を形成するより広い凹部を含む。この例では、周辺領域４０６（図４に示されている）および／または中間周辺領域４０４（図４に示されている）が、コンタクトレンズと接触することができる。
【００７４】
図９は、単一のチャンバ１３０のみを含むプラットフォーム部分１２２の一例を示している。この例では、コンタクトレンズ３００は、チャンバ１３０内に配置され、レンズ位置決めガイド１３４と接触する。この例では、レンズ位置決めガイド１３４は、コンタクトレンズの中央および中間周辺領域に接触する。レンズ位置決めガイド１３４は、コンタクトレンズをこの領域内で中心に保つことができる。この例では、床１２８は、プラットフォーム部分１２２およびレンズ位置決めガイド１３４の脚を形成するように形作られている。
【００７５】
図１０は、平らな床１２８および床１２８に形成された凹部４００を備えたプラットフォーム部分１２２の例を示している。この例では、プラットフォーム部分１２２の床１２８は、プラットフォーム部分１２２の平らな底を形成する厚さを含み、凹部４００は、プラットフォーム部分の平らな底に形成される。
【００７６】
図１１は、隆起部１１００を含むレンズ位置決めガイド１３４の例を示している。隆起部１１００は、コンタクトレンズの周辺部分３１２と接触するように構成されたチャンバ１３０の床面１１０４よりも上に位置する部分である。隆起部１１００の上部は、床１２８より上方に間隔をあけた位置とされ、レンズ位置決めガイド１３４は、隆起部を接続する凹状曲線を形成することができる。この例では、隆起部１１００の上部は丸みを帯びているが、他の例では、隆起部１１００の上部は、平坦、尖った、階段状、非対称、その他の形状、またはそれらの組み合わせであり得る。図示の例では、凹状曲線の中心は、チャンバ１３０の床面１１０４よりも下に位置している。
【００７７】
図１２は、隆起部１１００を備えたレンズ位置決めガイド１３４の例を示している。この例では、隆起部１１００は床１２８に形成され、床面１１０４より上に高くなっている。この例では、チャンバの床１２８は平坦であり、隆起部１１００は、緩やかな曲線を形成することなく、平坦な床１２８から突出している。隆起部１１００は、隆起部分を接続する連続曲線を作ることなく、床１２８に接続することができる。この例では、コンタクトレンズがチャンバ１３０内に置かれたときに、レンズ位置決めガイド１３４とコンタクトレンズの前側との間にギャップが画定される。
【００７８】
隆起部を備えたレンズ位置決めガイドの図示の例は、傾斜した側面を備えた隆起部を含むが、隆起部は任意の適切な形状を有することができる。例えば、隆起部は、傾斜面、平坦面、段付き面、それらの組み合わせの別のタイプの面を含むことができる。さらに、隆起部は、略三角形の断面、略円形の断面、略卵形の断面、略正方形の断面、略長方形の断面、略対称の断面、非対称の断面、別のタイプの断面またはそれらの組み合わせを含むことができる。
【００７９】
図１１の例に示される隆起部１１００の断面は連続環状隆起部の一部である。他の例では、図示された断面の隆起部１１００は、互いに接続されていない、コンタクトレンズをチャンバ１３０内で中心に配置するように、相互に間隔を置いて配置された孤立した隆起部の一部である。
【００８０】
特に明記しない限り、本明細書で使用される寸法、物理的特性などを表すすべての数値または表現は、すべての場合において「おおよそ」という用語によって修飾されるものと理解される。少なくとも、均等論の適用を特許請求の範囲に適用するのを限定する試みとしてではなく、明細書に記載されている各数値パラメータまたは「おおよそ」という用語によって修飾された各数値パラメータは、少なくとも記載されている有効桁数と通常の丸め手法に照らして解釈されるべきである。
【００８１】
さらに、本明細書に開示されるすべての範囲は、そこに含まれるすべてのサブ範囲またはすべての個々の値を列挙する特許請求の範囲をカバーし、支持すると理解されるべきである。たとえば、１から１０の範囲は、最小値１と最大値１０の間および／またはそれらを含むすべてのサブ範囲または個々の値、つまり、最小値が１以上で始まり、最大値が１０以下（たとえば、５．５から１０、２．３４から３．５６など）で終わるすべてのサブ範囲または１から１０までの任意の値（たとえば、３、５．８、９．９９９４など）を列挙する特許請求の範囲をカバーし、サポートすると理解されるべきである。
【図１】
2021529565.tif 000003
【図２】
2021529565.tif 000004
【図３Ａ】
2021529565.tif 000005
【図３Ｂ】
2021529565.tif 000006
【図４】
2021529565.tif 000007
【図５】
2021529565.tif 000008
【図６】
2021529565.tif 000009
【図７】
2021529565.tif 000010
【図８】
2021529565.tif 000011
【図９】
2021529565.tif 000012
【図１０】
2021529565.tif 000013
【図１１】
2021529565.tif 000014
【図１２】
2021529565.tif 000015
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
プラットフォーム部分を備え、
該プラットフォーム部分が、
容器本体と、
該容器本体に形成された内壁と、
該内壁に接続された床と、
該内壁及び該床によって画定されたチャンバと、
該チャンバ内に配置されたレンズ位置決めガイドと、
を含む、
コンタクトレンズケース。
【請求項２】
該レンズ位置決めガイドが、該チャンバの該床に形成された凹部を含む、請求項１に記載のコンタクトレンズケース。
【請求項３】
該レンズ位置決めガイドが、該床の表面から一定の間隔を離して配置されている頂面を含む隆起部を有する、請求項１に記載のコンタクトレンズケース。
【請求項４】
該レンズ位置決めガイドが該床の傾斜面を含む、請求項１に記載のコンタクトレンズケース。
【請求項５】
該レンズ位置決めガイドは、コンタクトレンズを該容器本体内で中心に配置するように構成されている、請求項１乃至４のいずれか一項に記載のコンタクトレンズケース。
【請求項６】
該レンズ位置決めガイドが、コンタクトレンズの前側曲率に実質的に倣うガイド曲率を有する、請求項１乃至５のいずれか一項に記載のコンタクトレンズケース。
【請求項７】
該レンズ位置決めガイドは、コンタクトレンズの前側の半径の中点と該コンタクトレンズの縁との間に配置されている該コンタクトレンズの周辺部分に接触するように構成されている、請求項１乃至６のいずれか一項に記載のコンタクトレンズケース。
【請求項８】
キャップ部分をさらに備え、
該キャップ部分が、
キャップ本体と、
該キャップ本体から延びる突出部と、
該突出部の遠位端と、
を含む、請求項１乃至７のいずれか一項に記載のコンタクトレンズケース。
【請求項９】
該突出部の該遠位端に形成された曲面と、
該突出部の該曲面に形成された円周リップと、
をさらに備え、
該レンズ位置決めガイドは、コンタクトレンズの縁を該円周リップに当接するよう案内するように構成されている、請求項８に記載のコンタクトレンズケース。
【請求項１０】
該レンズ位置決めガイドは、該キャップ部分と該プラットフォーム部分とが組み立てられたときに、該キャップ本体の該突出部の該曲面上に配置されたコンタクトレンズの周辺部分に接触するように構成されている、請求項９に記載のコンタクトレンズケース。
【請求項１１】
該突出部の該曲面は、コンタクトレンズが濡れているときに、該コンタクトレンズの後側に付着するように構成されている、請求項９又は１０に記載のコンタクトレンズケース。
【請求項１２】
該プラットフォーム部分に形成された第１のねじ部分と、
該キャップ部分に形成された第２のねじ部分と、
をさらに備え、
該第１のねじ部分および該第２のねじ部分は、該チャンバを閉じるように互いにねじ接続されるように構成されている、請求項８乃至１１のいずれか一項に記載のコンタクトレンズケース。
【請求項１３】
該突出部の該遠位端が、該キャップ本体から該第２のねじ部分の端部を超えて延びるようにされている、請求項１２に記載のコンタクトレンズケース。
【請求項１４】
該第１のねじ部分と該第２のねじ部分とが互いにねじ接続されているときに、該突出部の該遠位端と該チャンバの該床とが１０ミリメートル未満の間隔だけ離されるようにされた、請求項１２又は１３に記載のコンタクトレンズケース。
【請求項１５】
該レンズ位置決めガイドが、該チャンバ内に配置されたコンタクトレンズと係合するように構成された中間周辺領域を有する、請求項１乃至１４のいずれか一項に記載のコンタクトレンズケース。
【国際調査報告】
2021529565.tif 000016